(57)【要約】【課題】  外乱物質による影響を補正することによって濃度計の交換サイクルを長期化することができる内視鏡リプロセッサを提供する。【解決手段】  内視鏡リプロセッサ１は、処理槽２３と、タンク３１ａと、第１濃度計Ｎと、第２濃度計Ｍと、内視鏡に接触した薬液が接触しないよう第２濃度計Ｍを保護する保護部８１と、内視鏡に接触した薬液を第１濃度計Ｎに接触させる第１接触部と、校正用の校正液を第１濃度計Ｎ及び第２濃度計Ｍに接触させる第２接触部８２と、校正液に接触した際の第１濃度計の電流値測定結果、及び、校正液に接触した際の第２濃度計の濃度測定結果から第１濃度計の検量線を作成して第１濃度計Ｎを校正する校正処理部Ｐと、を含む。【選択図】図１
2018186921.tif 000002
【特許請求の範囲】
【請求項１】
内視鏡を配置する処理槽と、
前記処理槽に連通しており、薬液を貯留するタンクと、
第１濃度計と、
第２濃度計と、
前記内視鏡に接触した前記薬液が接触しないよう前記第２濃度計を保護する保護部と、
前記内視鏡に接触した前記薬液を前記第１濃度計に接触させる第１接触部と、
校正用の校正液を前記第１濃度計及び前記第２濃度計に接触させる第２接触部と、
前記校正液に接触した際の前記第１濃度計の電流値測定結果、及び、前記校正液に接触した際の前記第２濃度計の濃度測定結果から前記第１濃度計の検量線を作成して前記第１濃度計を校正する校正処理部と、
を含むことを特徴とする内視鏡リプロセッサ。
【請求項２】
前記第１接触部は、
前記タンク内に露出するように前記第１濃度計を保持する第１の保持部を有し、
前記保護部は、
校正室と、
前記校正室内に露出するように前記第２濃度計を保持する第２の保持部を有する、
ことを特徴とする請求項１に記載の内視鏡リプロセッサ。
【請求項３】
前記タンクと前記校正室をつなぐ管路と、
前記タンクから前記校正室に前記校正液を供給する第１校正液供給部と、
前記校正室から液体を排液する排液口と、
を含むことを特徴とする請求項２に記載の内視鏡リプロセッサ。
【請求項４】
水導入部を有し、
前記校正室は、前記水導入部と接続される、
ことを特徴とする請求項２に記載の内視鏡リプロセッサ。
【請求項５】
前記処理槽と前記校正室をつなぐ管路と、
前記処理槽から前記校正室に前記校正液を供給する第２校正液供給部と、
前記校正室と前記タンクをつなぐ管路と、
前記校正室から前記タンクに前記校正液を供給する第３校正液供給部と、
を含むことを特徴とする請求項２に記載の内視鏡リプロセッサ。
【請求項６】
前記第１接触部は、
前記タンク内に露出するように前記第１濃度計を保持する第１の保持部であり、
前記保護部は、
前記タンク内の第１水位から前記第１水位よりも高い位置にある第２水位まで進退可能に前記第２濃度計を保持する第３の保持部であることを特徴とする請求項１に記載の内視鏡リプロセッサ。
【請求項７】
前記第１接触部は、
前記タンク内に露出するように前記第１濃度計を保持する第１の保持部であり、
前記保護部は、
前記タンク内に配置されて、地面に向けて開口している気体溜まり室と、
前記気体溜まり室内に露出するように前記第２濃度計を保持する第４の保持部と、
前記気体溜まり室内の水位を調整する水位調整部と、
を含むことを特徴とする請求項１に記載の内視鏡リプロセッサ。
【請求項８】
前記水位調整部は、前記気体溜まり室内の圧力を調整する圧力調整部であることを特徴とする請求項７に記載の内視鏡リプロセッサ。
【請求項９】
前記水位調整部は、前記気体溜まり室内に向けて液体を噴射する液体噴射部であることを特徴とする請求項７に記載の内視鏡リプロセッサ。
【請求項１０】
前記保護部は、前記タンク内において
前記第１濃度計を第１高さに保持する第５の保持部と、
前記第２濃度計を前記第１高さよりも高い第２高さに保持する第６の保持部と、を含み、
前記第１接触部及び前記第２接触部は、
前記タンクの前記第１高さまで前記内視鏡に接触した前記薬液を供給し、
前記タンクの前記第２高さまで前記校正液を供給する液体供給部である、
ことを特徴とする請求項１に記載の内視鏡リプロセッサ。
【発明の詳細な説明】
【技術分野】
【０００１】
本発明は、内視鏡リプロセッサに関する。
【背景技術】
【０００２】
従来、被検体に使用された内視鏡を消毒液等の薬液によって洗浄消毒する内視鏡洗浄消毒装置がある。薬液は、タンクに貯留され、有効濃度よりも低くならないように、使用前に濃度測定される。検査で使用した薬液は、複数回使用できるように、消毒工程の終了後にタンクに回収される。
【０００３】
例えば、特開２０１６−２３９５８号公報では、貯留部に貯留された溶液中に濃度計の電極を浸からせ、ポーラログラフ法によって溶液中の電解質の濃度測定をする内視鏡洗浄消毒装置が開示される。
【先行技術文献】
【特許文献】
【０００４】
【特許文献１】特開２０１６−２３９５８号公報
【発明の概要】
【発明が解決しようとする課題】
【０００５】
しかし、従来の内視鏡洗浄消毒装置では、被検体内の脂肪酸又は被検体内を染色するために用いるヨウ素を含む染色液等の外乱物質が付着した内視鏡を消毒すると、外乱物質は、薬液に混ざることによって薬液と共にタンク内に流入し、濃度計に影響を与え、濃度計の交換サイクルを短縮させることがある。
【０００６】
そこで、本発明は、外乱物質による影響を補正することによって濃度計の交換サイクルを長期化することができる内視鏡リプロセッサを提供することを目的とする。
【課題を解決するための手段】
【０００７】
本発明の一態様の内視鏡リプロセッサは、内視鏡を配置する処理槽と、前記処理槽に連通しており、薬液を貯留するタンクと、第１濃度計と、第２濃度計と、前記内視鏡に接触した前記薬液が接触しないよう前記第２濃度計を保護する保護部と、前記内視鏡に接触した前記薬液を前記第１濃度計に接触させる第１接触部と、校正用の校正液を前記第１濃度計及び前記第２濃度計に接触させる第２接触部と、前記校正液に接触した際の前記第１濃度計の電流値測定結果、及び、前記校正液に接触した際の前記第２濃度計の濃度測定結果から前記第１濃度計の検量線を作成して前記第１濃度計を校正する校正処理部と、を含む。
【発明の効果】
【０００８】
本発明によれば、外乱物質による影響を補正することによって濃度計の交換サイクルを長期化することができる内視鏡リプロセッサを提供することができる。
【図面の簡単な説明】
【０００９】
【図１】本発明の第１の実施形態に係わる、内視鏡リプロセッサの構成例を示すブロック図である。
【図２】本発明の第１の実施形態に係わる、内視鏡リプロセッサの第１濃度計の構成例を説明するための説明図である。
【図３】本発明の第１の実施形態に係わる、内視鏡リプロセッサの濃度測定部の動作例を説明するための説明図である。
【図４】本発明の第１の実施形態に係わる、内視鏡リプロセッサの濃度測定部の動作例を説明するための説明図である。
【図５】本発明の第１の実施形態に係わる、内視鏡リプロセッサの校正処理の流れの一例を示すフローチャートである。
【図６】本発明の第１の実施形態に係わる、内視鏡リプロセッサの濃度測定部の動作例を説明するための説明図である。
【図７】本発明の第１の実施形態に係わる、内視鏡リプロセッサの第１濃度計と第２濃度計によって測定した電流値と濃度の関係を示すグラフである。
【図８】本発明の第１の実施形態の変形例１に係わる、内視鏡リプロセッサの構成例を示すブロック図である。
【図９】本発明の第１の実施形態の変形例２に係わる、内視鏡リプロセッサの構成例を示すブロック図である。
【図１０】本発明の第２の実施形態に係わる、内視鏡リプロセッサの濃度測定部の構成例を説明するための説明図である。
【図１１】本発明の第２の実施形態に係わる、内視鏡リプロセッサの濃度測定部の構成例を説明するための説明図である。
【図１２】本発明の第２の実施形態に係わる、内視鏡リプロセッサの校正処理の流れの一例を示すフローチャートである。
【図１３】本発明の第３の実施形態に係わる、内視鏡リプロセッサの濃度測定部の構成例を説明するための説明図である。
【図１４】本発明の第３の実施形態に係わる、内視鏡リプロセッサの濃度測定部の構成例を説明するための説明図である。
【図１５】本発明の第３の実施形態に係わる、内視鏡リプロセッサの濃度測定部の構成例を説明するための説明図である。
【図１６】本発明の第３の実施形態に係わる、内視鏡リプロセッサの校正処理の流れの一例を示すフローチャートである。
【図１７】本発明の第４の実施形態に係わる、内視鏡リプロセッサの濃度測定部の構成例を説明するための説明図である。
【発明を実施するための形態】
【００１０】
以下、図面を参照しながら、本発明の実施形態を説明する。
【００１１】
（第１の実施形態）
（構成）
図１は、本発明の第１の実施形態に係わる、内視鏡リプロセッサ１の構成例を示すブロック図である。図１では、電気信号線は、省略される。
【００１２】
内視鏡リプロセッサ１は、汚染された内視鏡、及び、内視鏡の部品または付属品等（以下、単に「付属品」という）のリプロセス処理を行う装置である。ここでいうリプロセス処理とは、特に限定されるものではなく、水によるすすぎ、有機物等の汚れを落とす洗浄、所定の微生物を無効化する消毒、全ての微生物を排除、もしくは、死滅させる滅菌、または、これらの組み合わせのいずれであってもよい。付属品は、特に限定されず、例えば、使用時に内視鏡に装着されてリプロセス処理時に内視鏡から取り外される吸引ボタン、送気送水ボタン、または内視鏡先端を覆う先端カバーなどが挙げられる。
【００１３】
内視鏡リプロセッサ１は、トップカバー１１と、装置本体２１とを有する。
【００１４】
トップカバー１１は、装置本体２１の上部に開閉自在に設けられる。トップカバー１１を開けると、後述する処理槽２３内は、外部に露出する。
【００１５】
装置本体２１は、操作部２２と、処理槽２３と、薬液導入部Ｄｉと、排出口３２と、送流体部Ｔｆと、洗浄液導入部Ｃｓと、水導入部Ｒｉと、制御部７１と、濃度測定部Ｃｍと、を有する。
【００１６】
操作部２２は、装置本体２１の前部に設けられ、内視鏡のリプロセス処理に関する各種指示入力が可能である。
【００１７】
処理槽２３は、内視鏡を配置できるように、凹状に形成される。
【００１８】
薬液導入部Ｄｉは、処理槽２３に薬液を導入できるように構成される。薬液導入部Ｄｉは、薬液ノズル３１と、タンク３１ａと、薬液ポンプ３１ｂとを有する。薬液は、例えば、過酢酸を含む消毒液である。なお、薬液は、消毒液ではなく、滅菌液であっても構わない。
【００１９】
薬液ノズル３１は、処理槽２３に薬液を吐出できるように、処理槽２３に設けられる。
【００２０】
タンク３１ａは、処理槽２３に連通しており、薬液を貯留する。タンク３１ａは、薬液ノズル３１に接続される。タンク３１ａには、ボトル接続部３１ｃに装着された薬液ボトルＢｔから、薬液の原液が導入される。薬液の原液は、水導入部Ｒｉから導入される水によって希釈され、所定の濃度の薬液に調製される。図１では、水フィルタ６３を通過した水は、希釈水管路Ｌを介してタンク３１ａに導入されるが、処理槽２３を介してタンク３１ａに導入されても構わない。
【００２１】
タンク３１ａは、ドレーン弁３１ｄと接続される。ドレーン弁３１ｄが開状態になると、タンク３１ａ内の薬液は、外部排水手段Ｅｄに排出される。
【００２２】
タンク３１ａの内部には、タンク３１ａ内に露出するように第１濃度計Ｎを保持する保持部Ｈｎが設けられる。
【００２３】
薬液ポンプ３１ｂは、タンク３１ａから処理槽２３に送液する。薬液ポンプ３１ｂは、タンク３１ａと薬液ノズル３１の間の管路に配置される。薬液ポンプ３１ｂは、制御部７１と接続され、制御部７１の制御の下、タンク３１ａから薬液を取り込み、薬液ノズル３１を介し、処理槽２３に送液可能である。
【００２４】
排出口３２は、処理槽２３に設けられ、処理槽２３に貯留された液体を排出する。排出口３２は、三方弁３２ａと接続される。三方弁３２ａは、制御部７１によって制御される方向切替弁である。排出口３２は、三方弁３２ａを介し、タンク３１ａ及び外部排液手段Ｅｄのいずれか一方と連通する。
【００２５】
すなわち、排出口３２と、三方弁３２ａと、タンク３１ａと、保持部Ｈｎは、内視鏡に接触した薬液を第１濃度計Ｎに接触させる第１接触部を構成する。
【００２６】
送流体部Ｔｆは、循環口４１から処理槽２３の液体を取り込み、また、付属品ケース４２、コネクタ４３及び循環ノズル４４に送気または送液できるように構成される。送流体部Ｔｆは、循環口４１と、送液ポンプ４１ａと、流路切替弁４１ｂと、エアコンプレッサ４１ｃと、アルコールポンプ４１ｄと、アルコールタンク４１ｅと、循環ポンプ４１ｆと、給水切替弁４１ｇと、を有する。
【００２７】
循環口４１は、処理槽２３に貯留された液体を取り込めるように処理槽２３に設けられ、送液ポンプ４１ａと、循環ポンプ４１ｆに接続される。
【００２８】
送液ポンプ４１ａは、処理槽２３の液体を付属品ケース４２及びコネクタ４３に送液する。送液ポンプ４１ａは、循環口４１と、流路切替弁４１ｂとの間の管路に配置される。送液ポンプ４１ａは、流路切替弁４１ｂを介し、付属品ケース４２及びコネクタ４３のいずれか一方に連通可能である。送液ポンプ４１ａは、制御部７１に接続され、制御部７１の制御の下、循環口４１から処理槽２３の液体を取り込み、流路切替弁４１ｂに接続する管路に送液可能である。
【００２９】
流路切替弁４１ｂは、制御部７１に接続される方向切替弁によって構成される。流路切替弁４１ｂは、送液ポンプ４１ａ、エアコンプレッサ４１ｃ、アルコールポンプ４１ｄ、付属品ケース４２及びコネクタ４３に接続され、制御部７１の制御の下、少なくとも送液ポンプ４１ａ、エアコンプレッサ４１ｃ及びアルコールポンプ４１ｄのいずれか一つと、少なくとも付属品ケース４２及びコネクタ４３のいずれか一つと、を連通させる。
【００３０】
エアコンプレッサ４１ｃは、外部の空気Ａｒを付属品ケース４２及びコネクタ４３に送気する。エアコンプレッサ４１ｃは、外部に開放され、また、流路切替弁４１ｂに連通する。エアコンプレッサ４１ｃは、制御部７１に接続され、制御部７１の制御の下、外部から空気Ａｒを取り込み、流路切替弁４１ｂに接続される管路に送気をする。
【００３１】
アルコールポンプ４１ｄは、制御部７１に接続され、制御部７１の制御の下、アルコールタンク４１ｅ内に貯留される除水用のアルコールをコネクタ４３に送液する。
【００３２】
循環ポンプ４１ｆは、処理槽２３の液体を循環ノズル４４に送液する。循環ポンプ４１ｆは、循環口４１と、循環ノズル４４との間の管路に配置される。循環ポンプ４１ｆは、制御部７１に接続され、制御部７１の制御の下、循環口４１から液体を取り込み、循環ノズル４４に送液をする。
【００３３】
給水切替弁４１ｇは、制御部７１に接続される方向切替弁である。給水切替弁４１ｇは、循環ポンプ４１ｆと、水導入部Ｒｉと、循環ノズル４４と、に接続され、制御部７１の制御の下、循環ポンプ４１ｆ及び水導入部Ｒｉのいずれか１つと、循環ノズル４４と、を連通させる。
【００３４】
付属品ケース４２は、付属品を収納する。付属品ケース４２の底部は、付属品ケース４２内に流体を導入できるように、流路切替弁４１ｂと接続される。
【００３５】
コネクタ４３は、図示しない接続チューブを介して内視鏡と接続される。なお、コネクタ４３は、接続チューブを介さずに直接接続される構造であっても構わない。コネクタ４３は、内視鏡に流体を導入できるように、流路切替弁４１ｂと接続される。
【００３６】
洗浄液導入部Ｃｓは、処理槽２３に洗浄液を導入できるように構成される。洗浄液導入部Ｃｓは、洗浄液ノズル５１と、洗浄液タンク５２ａと、洗浄液ポンプ５２ｂと、を有する。
【００３７】
洗浄液ノズル５１は、処理槽２３に設けられ、処理槽２３に洗浄液を吐出する。
【００３８】
洗浄液タンク５２ａは、洗浄液を貯留できるように構成される。洗浄液タンク５２ａは、洗浄液ノズル５１と接続される。
【００３９】
洗浄液ポンプ５２ｂは、洗浄液ノズル５１と洗浄液タンク５２ａの間に設けられ、制御部７１の制御の下、洗浄液タンク５２ａに貯留された洗浄液を処理槽２３に導入する。
【００４０】
水導入部Ｒｉは、処理槽２３にすすぎ液を導入できるように構成される。水導入部Ｒｉは、給水ホース接続部６１と、水導入弁６２と、水フィルタ６３と、水導入弁６４とを有する。
【００４１】
給水ホース接続部６１は、外部給水手段Ｗに接続される。
【００４２】
水導入弁６２は、給水ホース接続部６１と水フィルタ６３の間の管路に設けられる。水導入弁６２は、制御部７１に接続され、制御部７１の制御の下、給水ホース接続部６１から水フィルタ６３への給水を開始または停止する。
【００４３】
水フィルタ６３は、水導入弁６４に接続され、給水ホース接続部６１から導入された水を濾過し、水導入弁６４に導入する。
【００４４】
水導入弁６４は、給水切替弁４１ｇ及びタンク３１ａに接続される。水導入弁６４は、制御部７１と接続され、制御部７１の制御の下、給水切替弁４１ｇ及びタンク３１ａのいずれか１つと、水フィルタ６３とを連通させる。給水切替弁４１ｇと水フィルタ６３が連通すると、水導入部Ｒｉは、すすぎに用いるための水が、循環ノズル４４を介して処理槽２３に導入される。また、タンク３１ａと水フィルタ６３が連通すると、原液を希釈するための水が、タンク３１ａに導入される。
【００４５】
制御部７１は、中央処理装置（以下「ＣＰＵ」という）７１ａ及び書き換え可能なメモリ７１ｂを有する。制御部７１の機能は、ＣＰＵ７１ａがメモリ７１ｂに記憶された各種プログラムを実行することによって実現される。制御部７１は、内視鏡リプロセッサ１内の各部の制御の他、後述する校正処理を行う。
【００４６】
ＣＰＵ７１ａは、メモリ７１ｂに記憶された各種プログラムを読み込み、実行することができる。
【００４７】
メモリ７１ｂには、ＣＰＵ７１ａによって実行される各種プログラムの他、校正処理をするための校正処理部Ｐのプログラムも記憶される。また、メモリ７１ｂには、第１濃度計Ｎの検量線Ｎ１と、第２濃度計Ｍの検量線Ｍ１も記憶される。第１濃度計Ｎと第２濃度計Ｍを内視鏡リプロセッサ１に取り付けた際には、第１濃度計Ｎと第２濃度計Ｍの製造時等において予め設定された検量線Ｎ１、Ｍ１が記憶される。
【００４８】
校正処理部Ｐは、校正液に接触した際の第１濃度計Ｎの電流値測定結果、及び、校正液に接触した際の第２濃度計Ｍの濃度測定結果から第１濃度計Ｎの検量線Ｎ１を作成して第１濃度計Ｎを校正する。
【００４９】
図２は、本発明の第１の実施形態に係わる、内視鏡リプロセッサ１の第１濃度計Ｎの構成例を説明するための説明図である。
【００５０】
濃度測定部Ｃｍは、タンク３１ａ内の薬液の濃度を測定できるように構成される。濃度測定部Ｃｍは、第１濃度計Ｎと、第２濃度計Ｍと、保護部８１と、第２接触部８２と、校正液回収部８３と、を有する。
【００５１】
第１濃度計Ｎは、タンク３１ａ内に設けられる。図２に示すように、第１濃度計Ｎは、電極Ｅ間の電流値によって薬液の濃度を測定する電気化学式センサである。第１濃度計Ｎは、底部に浸透膜Ｄｒが設けられたハウジングを有する。ハウジング内には、内部液が充填され、電極Ｅが３つ設けられる。第１濃度計Ｎは、制御部７１と接続される。第１濃度計Ｎは、測定結果の電流値を制御部７１に出力する。
【００５２】
浸透膜Ｄｒは、第１濃度計Ｎの外側から内側方向へ、順に、測定層、乾燥層、放出層を有する。測定層には、第１濃度計Ｎの外部の薬液が浸透する。また、放出層には、第１濃度計Ｎ内の内部液が浸透する。内部液よりも薬液の濃度が高いとき、薬液内の測定対象は、測定層から乾燥層に気化して浸透し、乾燥層から放出層内の内部液に溶出し、放出層から内部液内に放出される。一方、薬液よりも内部液の濃度が高いとき、内部液内の測定対象は、放出層、乾燥層及び測定層を介し、薬液内に放出される。したがって、内部液の濃度は、薬液の濃度に応じて変化する。
【００５３】
電極Ｅは、制御部７１と接続される。電極Ｅには、制御部７１の制御の下、所定電圧が印加される。所定電圧が印加されると、所定の一対の電極Ｅには、内部液の濃度に応じた電流が流れる。第１濃度計Ｎは、３つの電極Ｅのうち、所定の一対の電極Ｅに流れる電流の電流値を制御部７１に出力する。
【００５４】
第２濃度計Ｍは、保護部８１内に設けられる。第２濃度計Ｍの他の構成は、第１濃度計Ｎと同じであるため、説明を省略する。
【００５５】
保護部８１は、内視鏡に接触した薬液が接触しないように第２濃度計Ｍを保護することができるように構成される。より具体的には、保護部８１は、校正室８１ａと、校正室８１ａ内に露出するように前記第２濃度計Ｍを保持する保持部Ｈｍを有する。校正室８１ａは、タンク３１ａよりも高い位置に配置され、校正液を貯留可能な容器によって形成される。校正室８１ａには、液体を排出する排液口Ｄｇが設けられる。
【００５６】
第２接触部８２は、校正用の校正液を第１濃度計Ｎ及び第２濃度計Ｍに接触させる。より具体的には、第２接触部８２は、排出口３２と、三方弁３２ａと、タンク３１ａと、保持部Ｈｎに加え、管路８２ａと、第１校正液供給部８２ｂを有する。管路８２ａは、タンク３１ａと、保護部８１の校正室８１ａとをつなぐように構成される。第１校正液供給部８２ｂは、管路８２ａに設けられ、制御部７１の制御の下、タンク３１ａから校正室８１ａに校正液を供給する。第１校正液供給部８２ｂは、例えば、送液可能なポンプによって構成される。
【００５７】
校正液は、校正に用いられる薬液である。
【００５８】
校正液回収部８３は、校正室８１ａから校正液をタンク３１ａに回収できるように構成される。より具体的には、校正液回収部８３は、管路８３ａと、開閉弁８３ｂとを有する。管路８３ａは、校正室８１ａの排液口Ｄｇと、タンク３１ａとをつなぐように構成される。開閉弁８３ｂは、管路８３ａに設けられ、制御部７１の制御の下、弁を開閉する。
【００５９】
（動作）
図３及び図４は、本発明の第１の実施形態に係わる、内視鏡リプロセッサ１の濃度測定部Ｃｍの動作例を説明するための説明図である。図４では、外乱物質が模式的に円形模様によって表され、また、第１濃度計Ｎに作用した外乱物質が模式的に第１濃度計Ｎ内の円形模様によって表される。
【００６０】
図３に示すように、薬液ボトルＢｔから所定量の薬液の原液が供給され、かつ水導入部Ｒｉから所定量の水が供給されると、タンク３１ａ内において濃度Ｑの薬液が調製される。濃度Ｑは、例えば、０．３％である。続いて、制御部７１が第１校正液供給部８２ｂを駆動すると、タンク３１ａ内の薬液は、校正室８１ａに供給される。第２濃度計Ｍは、薬液内で保持される。
【００６１】
薬液ノズル３１を介して処理槽２３に薬液を供給し、リプロセス処理を行うと、内視鏡に付着していた、被検体内の脂肪酸又は被検体内を染色するために用いるヨウ素を含む染色液等の外乱物質Ｄｓは、薬液と混ざる。続いて、排出口３２を介して薬液の回収が行われると、図４に示すように、外乱物質は、薬液と共にタンク３１ａ内に流入する。タンク３１ａ内に流入した外乱物質は、第１濃度計Ｎの電極Ｅ又は浸透膜Ｄｒに作用し、第１濃度計Ｎを劣化させる。
【００６２】
処理槽２３に対する薬液の供給及び回収は、第１濃度計Ｎによって測定される薬液の濃度が、有効濃度未満になるまで繰り返される。薬液の濃度が有効濃度未満になると、ユーザの指示により、制御部７１は、開閉弁８３ｂを開状態にし、管路８３ａを介して校正室８１ａ内の薬液をタンク３１ａに流す。続いて、制御部７１は、ドレーン弁３１ｄを開状態にし、タンク３１ａ内の薬液を外部排水手段Ｅｄに排出する。有効濃度は、例えば、２．０％である。
【００６３】
薬液の排出が終了すると、薬液ボトルＢｔから所定量の薬液の原液が供給され、かつ水導入部Ｒｉから所定量の水が供給され、タンク３１ａ内において校正液が調製される。校正液は、例えば、濃度Ｒを有する。なお、校正処理が終了すると、タンク３１ａ内の校正液は、薬液としてリプロセス処理に用いられる。
【００６４】
図５は、本発明の第１の実施形態に係わる、内視鏡リプロセッサ１の校正処理の流れの一例を示すフローチャートである。図６は、本発明の第１の実施形態に係わる、内視鏡リプロセッサ１の濃度測定部Ｃｍの動作例を説明するための説明図である。図７は、本発明の第１の実施形態に係わる、内視鏡リプロセッサ１の第１濃度計Ｎと第２濃度計Ｍによって測定した電流値と濃度の関係を示すグラフである。図６では、第１濃度計Ｎに作用した外乱物質が模式的に第１濃度計Ｎ内の円形模様によって表される。
【００６５】
校正液が調製されると、制御部７１は、校正処理部Ｐのプログラムに従い、校正処理を開始する。
【００６６】
タンク３１ａから校正室８１ａに校正液を供給する（Ｓ１１）。図６に示すように、制御部７１が、制御信号を出力すると、第１校正液供給部８２ｂは、タンク３１ａから校正室８１ａに、校正液を供給する。
【００６７】
第１濃度計Ｎと第２濃度計Ｍから測定結果を取得する（Ｓ１２）。制御部７１が、制御信号を出力すると、第１濃度計Ｎは、測定結果の電流値Ｎｒを制御部７１に出力し、第２濃度計Ｍは、測定結果の電流値Ｍｒを制御部７１に出力する。制御部７１は、第１濃度計Ｎと第２濃度計Ｍから測定結果を取得する。
【００６８】
第１濃度計Ｎの検量線Ｎ１を作成する（Ｓ１３）。図７に示すように、制御部７１は、検量線Ｍ１において、電流値Ｍｒに対応付けられた濃度Ｒを所定の演算によって算出する。続いて、制御部７１は、電流値Ｎｒと濃度Ｒに基づく所定の演算により、検量線Ｎ１ａを作成する。例えば、制御部７１は、Ｒ／Ｎｒを傾きとし、Ｙ＝Ｒ／Ｎｒ×Ｘによって表される検量線Ｎ１ａを作成する。制御部７１は、検量線Ｎ１として、検量線Ｎ１ａをメモリ７１ｂに記憶する。
【００６９】
上述のＳ１１からＳ１３の処理が校正処理を構成する。
【００７０】
これにより、濃度測定部Ｃｍでは、外乱物質に触れないように保持された第２濃度計Ｍと、外乱物質に触れる可能性のある第１濃度計Ｎとの各々によって校正液の濃度を測定する。濃度測定部Ｃｍでは、第２濃度計Ｍの測定結果に応じた濃度Ｒが算出され、算出された濃度Ｒと第１濃度計Ｎの測定結果に応じて検量線Ｎ１ａが作成され、外乱物質によって測定結果に生じる影響が補正される。
【００７１】
第１濃度計Ｎは、複数回に亘って校正処理を行い、所定の交換サイクルによって新しい濃度計と交換する。
【００７２】
上述の実施形態によれば、内視鏡リプロセッサ１は、外乱物質による影響を補正することによって濃度計の交換サイクルを長期化することができる。
【００７３】
（第１の実施形態の変形例１）
第１の実施形態では、校正室８１ａは、水導入部Ｒｉから水を導入されないが、校正室１８１ａは、水導入部Ｒｉから水を導入されるように構成しても構わない。
【００７４】
図８は、本発明の第１の実施形態の変形例１に係わる、内視鏡リプロセッサ１の構成例を示すブロック図である。図８では、電気信号線は、省略される。本実施形態の説明では、他の実施形態及び変形例と同じ構成については、説明を省略する。
【００７５】
本変形例の濃度測定部Ｃｍは、第１濃度計Ｎ、第２濃度計Ｍ、第２接触部８２及び校正液回収部８３の他、保護部１８１及び校正液排出部１８３を有する。
【００７６】
保護部１８１は、校正室１８１ａを有する。校正室１８１ａは、希釈水管路Ｌによって水導入部Ｒｉと接続される。制御部７１が水導入弁６４を開状態にすると、水導入部Ｒｉから校正室１８１ａに水が導入される。
【００７７】
校正液排出部１８３は、校正液を外部排水手段Ｅｄに排出できるように構成される。校正液排出部１８３は、管路１８３ａ及び校正液排出弁１８３ｂを有する。管路１８３ａは、一端が排液口Ｄｇと連通し、他端が外部排水手段Ｅｄと連通する。管路１８３ａには、校正液排出弁１８３ｂが設けられる。制御部７１が校正液排出弁１８３ｂを開状態にすると、校正室１８１ａから外部排水手段Ｅｄに校正液が排出される。
【００７８】
これにより、内視鏡リプロセッサ１は、水に浸からせることによって第２濃度計Ｍの劣化を抑え、かつ外乱物質による影響を補正することによって濃度計の交換サイクルを長期化することができる。
【００７９】
（第１の実施形態の変形例２）
第１の実施形態及び第１の実施形態の変形例１では、原液と水によって調製された校正液がタンク３１ａに貯留されるが、予め外部で調製された校正液をタンク３１ａに貯留するように構成しても構わない。
【００８０】
図９は、本発明の第１の実施形態の変形例２に係わる、内視鏡リプロセッサ１の構成例を示すブロック図である。図９では、電気信号線は、省略される。本実施形態の説明では、他の実施形態及び変形例と同じ構成については、説明を省略する。
【００８１】
本変形例の濃度測定部Ｃｍは、第１濃度計Ｎ、第２濃度計Ｍ、校正液回収部８３の他、保護部２８１及び第２接触部２８２を有する。
【００８２】
保護部２８１は、校正室２８１ａを有する。校正室２８１ａは、排出口３２、三方弁３２ａ及び管路２８２ａを介して処理槽２３と接続される。
【００８３】
第２接触部２８２は、三方弁３２ａと校正室２８１ａをつなぐ管路２８２ａを有する。
【００８４】
外部で調製された校正液を処理槽２３に貯留し、制御部７１によって三方弁３２ａと開閉弁８３ｂを開状態にすると、校正液は、タンク３１ａに流入する。所定量の校正液がタンク３１ａに貯留されると、制御部７１は、開閉弁８３ｂを閉状態にし、校正室８１ａに校正液を貯留する。
【００８５】
制御部７１によって開閉弁８３ｂを開状態にすると、校正液は、管路８３ａを介してタンク３１ａに排出される。ドレーン弁３１ｄが開状態になると、タンク３１ａ内の校正液は、外部排液手段Ｅｄに排出される。
【００８６】
すなわち、管路２８２ａは、前記処理槽２３と前記校正室２８１ａをつなぐように構成される。排出口３２、三方弁３２ａ及び管路２８２ａは、第２校正液供給部を構成する。校正室２８１ａとタンク３１ａをつなぐ管路８３ａと、開閉弁８３ｂは、前記校正室２８１ａから前記タンク３１ａに校正液を供給する第３校正液供給部を構成する。
【００８７】
これにより、内視鏡リプロセッサ１は、外部で調製された校正液を用いることができ、かつ外乱物質による影響を補正することによって濃度計の交換サイクルを長期化することができる。
【００８８】
（第２の実施形態）
第１の実施形態及び変形例では、保護部８１、１８１、２８１は、校正室８１ａ、１８１ａ、２８１ａと保持部Ｈｍを有するが、進退可能に第２濃度計Ｍを保持する保持部Ｈ２を有しても構わない。
【００８９】
図１０及び図１１は、本発明の第２の実施形態に係わる、内視鏡リプロセッサ１の濃度測定部Ｃｍの構成例を説明するための説明図である。図１０及び図１１では、タンク３１ａに接続する管路の図示は省略される。本実施形態の説明では、他の実施形態及び変形例と同じ構成については、説明を省略する。
【００９０】
本実施形態の濃度測定部Ｃｍは、第１濃度計Ｎ及び第２濃度計Ｍの他、保護部３８１及び第２接触部３８２を有する。
【００９１】
保護部３８１は、内視鏡に接触した薬液が接触しないよう第２濃度計Ｍを保護する。保護部３８１は、保持部Ｈ２を有する。
【００９２】
保持部Ｈ２は、タンク３１ａ内の第１高さＨｇ１から第１高さＨｇ１よりも高い位置にある第２高さＨｇ２まで進退可能に第２濃度計Ｍを保持する。より具体的には、保持部Ｈ２は、連結具Ｈ２ａ、シャフトＨ２ｂ及びアクチュエータＨ２ｃを有する。
【００９３】
連結具Ｈ２ａは、第２濃度計ＭとシャフトＨ２ｂを連結する。
【００９４】
シャフトＨ２ｂは、棒状に形成され、端部に連結具Ｈ２ａを介して第２濃度計Ｍが取り付けられる。
【００９５】
アクチュエータＨ２ｃは、シャフトＨ２ｂの外周に取り付けられる。アクチュエータＨ２ｃは、制御部７１と接続される。アクチュエータＨ２ｃは、ソレノイドを有し、制御部７１の制御の下、シャフトＨ２ｂを軸方向へ進退させる。
【００９６】
図１２は、本発明の第２の実施形態に係わる、内視鏡リプロセッサ１の校正処理の流れの一例を示すフローチャートである。
【００９７】
第１濃度計Ｎによって測定される薬液の濃度が有効濃度未満になると、ユーザの指示により、薬液がタンク３１ａから外部排液手段Ｅｄに排出され、校正液がタンク３１ａに導入される。校正液が導入されると、制御部７１は、校正処理部Ｐプログラムに従い、校正処理を開始する。
【００９８】
第２濃度計Ｍを降下させる（Ｓ２１）。制御部７１が制御信号を出力すると、アクチュエータＨ２ｃは、第２濃度計Ｍを第１高さＨｇ１に降下させる。すると、第２濃度計Ｍは、タンク３１ａの校正液に接触する。
【００９９】
第１濃度計Ｎと第２濃度計Ｍから測定結果を取得する（Ｓ２２）。Ｓ１２と同じであるため、説明を省略する。
【０１００】
第１濃度計Ｎの検量線Ｎ１を作成する（Ｓ２３）。Ｓ１３と同じであるため、説明を省略する。
【０１０１】
第２濃度計Ｍを上昇させる（Ｓ２４）。制御部７１が上昇を指示する制御信号を出力すると、アクチュエータＨ２ｃは、第２濃度計Ｍを第２高さＨｇ２に上昇させる。すると、第２濃度計Ｍは、タンク３１ａの校正液から離隔する。
【０１０２】
上述のＳ２１からＳ２４の処理が校正処理を構成する。
【０１０３】
すなわち、本実施形態では、保護部３８１は、校正用の校正液を第１濃度計Ｎ及び第２濃度計Ｍに接触させる第２接触部３８２を構成する。
【０１０４】
これにより、濃度測定部Ｃｍでは、外乱物質に触れないように保持された第２濃度計Ｍと、外乱物質に触れる可能性のある第１濃度計Ｎとによって校正液の濃度を測定する。濃度測定部Ｃｍでは、第２濃度計Ｍの測定結果に応じた濃度Ｒが算出され、算出された濃度Ｒと第１濃度計Ｎの測定結果に応じて検量線Ｎ１が作成され、検量線Ｎ１がメモリ７１ｂに記憶されることにより、外乱物質によって測定結果に生じる影響が補正される。
【０１０５】
上述の実施形態によれば、内視鏡リプロセッサ１は、外乱物質による影響を補正することによって濃度計の交換サイクルを長期化することができる。
【０１０６】
（第３の実施形態）
第２の実施形態では、第２濃度計Ｍを進退可能な保持部Ｈ２を有するが、タンク３１ａ内に気体溜まり室Ｈ３ａを設けても構わない。
【０１０７】
図１３、図１４及び図１５は、本発明の第３の実施形態に係わる、内視鏡リプロセッサ１の濃度測定部Ｃｍの構成例を説明するための説明図である。図１３、図１４及び図１５では、タンク３１ａに接続する管路の図示は省略される。本実施形態の説明では、他の実施形態及び変形例と同じ構成については、説明を省略する。
【０１０８】
本実施形態の濃度測定部Ｃｍは、第１濃度計Ｎ及び第２濃度計Ｍの他、保護部４８１及び第２接触部４８２を有する。
【０１０９】
保護部４８１は、内視鏡に接触した薬液が接触しないよう第２濃度計Ｍを保護する。より具体的には、保護部４８１は、気体溜まり室Ｈ３ａ、保持部Ｈ３ｂ及び水位調整部Ｈ３ｃを有する。
【０１１０】
気体溜まり室Ｈ３ａは、タンク３１ａ内に配置され、気体が溜まるように、上板と側板を有し、地面に向けて開口している。
【０１１１】
保持部Ｈ３ｂは、気体溜まり室Ｈ３ａ内に露出するように第２濃度計Ｍを保持する。
【０１１２】
水位調整部Ｈ３ｃは、気体溜まり室Ｈ３ａ内の水位を調整する。より具体的には、水位調整部Ｈ３ｃは、気体溜まり室Ｈ３ａ内の圧力を調整する圧力調整部である。水位調整部Ｈ３ｃは、圧力調整管路Ｈ３ｄと圧力調整弁Ｈ３ｅを有する。
【０１１３】
圧力調整管路Ｈ３ｄは、一端が気体溜まり室Ｈ３ａ内に開口し、他端が大気に開放する。
【０１１４】
圧力調整弁Ｈ３ｅは、圧力調整管路Ｈ３ｄに設けられ、制御部７１と接続され、制御部７１の制御の下、弁の開閉を行う。
【０１１５】
制御部７１が圧力調整弁Ｈ３ｅを開状態にすると、気体溜まり室Ｈ３ａ内の水位は上昇する（図１３）。タンク３１ａ内の薬液が処理槽２３に送られ、タンク３１ａ内の水位が下降すると、気体溜まり室Ｈ３ａから薬液が排出される（図１４）。制御部７１が圧力調整弁Ｈ３ｅを閉状態にすると、気体溜まり室Ｈ３ａ内の水位は上昇しない状態になる（図１５）。
【０１１６】
図１６は、本発明の第３の実施形態に係わる、内視鏡リプロセッサ１の校正処理の流れの一例を示すフローチャートである。
【０１１７】
第１濃度計Ｎによって測定される薬液の濃度が有効濃度未満になると、ユーザの指示により、薬液がタンク３１ａから外部排液手段Ｅｄに排出され、校正液がタンク３１ａに導入される。校正液が導入されると、制御部７１は、校正処理部Ｐプログラムに従い、校正処理を開始する。
【０１１８】
気体溜まり室Ｈ３ａ内の水位を上昇させる（Ｓ３１）。制御部７１が制御信号を出力し、圧力調整弁Ｈ３ｅを開状態にすると、気体溜まり室Ｈ３ａ内の気体が圧力調整管路Ｈ３ｄを介して大気に放出され、第２濃度計Ｍは、タンク３１ａの薬液に接触する。
【０１１９】
第１濃度計Ｎと第２濃度計Ｍから測定結果を取得する（Ｓ３２）。Ｓ１２と同じであるため、説明を省略する。
【０１２０】
第１濃度計Ｎの検量線Ｎ１を作成する（Ｓ３３）。Ｓ１３と同じであるため、説明を省略する。
【０１２１】
気体溜まり室Ｈ３ａ内の水位が上昇しない状態にする（Ｓ３４）。タンク３１ａ内の薬液を処理槽２３に送って気体溜まり室Ｈ３ａから薬液を排出した後、制御部７１が制御信号を出力し、圧力調整弁Ｈ３ｅを閉状態にする。すると、気体溜まり室Ｈ３ａ内に気体が溜まり、第２濃度計Ｍは、タンク３１ａの薬液から離隔される。
【０１２２】
上述のＳ３１からＳ３４の処理が校正処理を構成する。
【０１２３】
すなわち、本実施形態では、保護部４８１は、校正用の校正液を第１濃度計Ｎ及び第２濃度計Ｍに接触させる第２接触部４８２を構成する。
【０１２４】
これにより、濃度測定部Ｃｍでは、外乱物質に触れないように保持された第２濃度計Ｍと、外乱物質に触れる可能性のある第１濃度計Ｎとによって校正液の濃度を測定する。濃度測定部Ｃｍでは、第２濃度計Ｍの測定結果に応じた濃度Ｒが算出され、算出された濃度Ｒと第１濃度計Ｎの測定結果に応じて検量線Ｎ１が作成され、検量線Ｎ１がメモリ７１ｂに記憶されることにより、外乱物質による影響が補正される。
【０１２５】
上述の実施形態によれば、内視鏡リプロセッサ１は、外乱物質による影響を補正することによって濃度計の交換サイクルを長期化することができる。
【０１２６】
（第４の実施形態）
第２の実施形態では、第２濃度計Ｍを進退可能な保持部Ｈ２を有するが、互いに異なる高さで第１濃度計Ｎ及び第２濃度計Ｍの各々を保持する保持部Ｈ４ｎ及び保持部Ｈ４ｍを有しても構わない。
【０１２７】
図１７は、本発明の第４の実施形態に係わる、内視鏡リプロセッサ１の濃度測定部Ｃｍの構成例を説明するための説明図である。図１７では、タンク３１ａに接続する管路の図示は省略される。本実施形態の説明では、他の実施形態及び変形例と同じ構成については、説明を省略する。
【０１２８】
本実施形態の濃度測定部Ｃｍは、第１濃度計Ｎ及び第２濃度計Ｍの他、保護部５８１及び第２接触部５８２を有する。
【０１２９】
保護部５８１は、内視鏡に接触した薬液が接触しないよう第２濃度計Ｍを保護する。より具体的には、保護部５８１は、保持部Ｈ４ｎと保持部Ｈ４ｍを有する。
【０１３０】
保持部Ｈ４ｎは、第１濃度計Ｎを第１高さＨｇｎに保持する。
【０１３１】
保持部Ｈ４ｍは、第２濃度計Ｍを第１高さＨｇｎよりも高い第２高さＨｇｍに保持する。
【０１３２】
制御部７１は、処理槽２３に対する薬液の供給及び回収をする際に、タンク３１ａ内に第２高さＨｇｍを超えて薬液が貯留されないように制御を行う。
【０１３３】
すなわち、第１接触部及び第２接触部は、第１高さＨｇｎまで前記内視鏡に接触した薬液を供給し、第２高さＨｇｍまで前記校正液を供給する液体供給部である。
【０１３４】
上述の実施形態によれば、内視鏡リプロセッサ１は、外乱物質による影響を補正することによって濃度計の交換サイクルを長期化することができる。
【０１３５】
なお、実施形態及び変形例では、第１濃度計Ｎと第２濃度計Ｍは、電極Ｅを３つ有するが、電極Ｅは２つでも構わないし、４つ以上でも構わない。また、第１濃度計Ｎは、一例であり、電極Ｅを薬液に接触させて濃度を測定する、他の濃度計であっても構わない。例えば、第１濃度計Ｎと第２濃度計Ｍは、浸透膜Ｄｒを有しない濃度計であっても構わないし、ｐＨ値を出力する濃度計であっても構わない。
【０１３６】
なお、実施形態及び変形例では、第１校正液供給部は、タンク３１ａから校正室８１ａに校正液を導入するポンプであるが、校正室８１ａからタンク３１ａに校正液を導入することもできる正逆回転ポンプであっても構わない。
【０１３７】
なお、実施形態及び変形例では、校正室８１ａ、１８１ａ、２８１ａは、タンク３１ａよりも高い位置に配置されるが、タンク３１ａと同じ又はタンク３１ａよりも低い位置に配置され、ポンプによって校正室８１ａ、１８１ａ、２８１ａからタンク３１ａに校正液を回収しても構わない。
【０１３８】
なお、実施形態及び変形例では、水位調整部Ｈ３ｃは、圧力調整弁Ｈ３ｅを閉状態にして気体溜まり室Ｈ３ａ内に気体を溜めるが、水導入部Ｒｉ等の液体供給源と接続され、気体溜まり室Ｈ３ａ内に向けて液体を噴射する液体噴射部であっても構わない。
【０１３９】
なお、実施形態及び変形例では、水位調整部Ｈ３ｃは、圧力調整弁Ｈ３ｅを閉状態にして気体溜まり室Ｈ３ａ内に気体を溜めるが、エアコンプレッサ４１ｃと接続され、気体溜まり室Ｈ３ａ内に向けて気体を噴射する気体噴射部であっても構わない。
【０１４０】
本明細書における各「部」は、実施形態の各機能に対応する概念的なもので、必ずしも特定のハードウェアやソフトウェア・ルーチンに１対１には対応しない。したがって、本明細書では、実施形態の各機能を有する仮想的回路ブロック（部）を想定して実施形態を説明した。また、本実施形態における各手順の各ステップは、その性質に反しない限り、実行順序を変更し、複数同時に実行し、あるいは実行毎に異なった順序で実行してもよい。さらに、本実施形態における各手順の各ステップの全てあるいは一部をハードウェアにより実現してもよい。
【０１４１】
本発明は、上述した実施の形態に限定されるものではなく、本発明の要旨を変えない範囲において、種々の変更、改変等が可能である。
【符号の説明】
【０１４２】
１     内視鏡リプロセッサ
１１   トップカバー
２１   装置本体
２２   操作部
２３   処理槽
３１   薬液ノズル
３１ａ タンク
３１ｂ 薬液ポンプ
３１ｃ ボトル接続部
３１ｄ ドレーン弁
３２   排出口
３２ａ 三方弁
４１   循環口
４１ａ 送液ポンプ
４１ｂ 流路切替弁
４１ｃ エアコンプレッサ
４１ｄ アルコールポンプ
４１ｅ アルコールタンク
４１ｆ 循環ポンプ
４１ｇ 給水切替弁
４２   付属品ケース
４３   コネクタ
４４   循環ノズル
５１   洗浄液ノズル
５２ａ 洗浄液タンク
５２ｂ 洗浄液ポンプ
６１   給水ホース接続部
６２   水導入弁
６３   水フィルタ
６４   水導入弁
７１   制御部
７１ａ ＣＰＵ
７１ｂ メモリ
８１   保護部
８１ａ 校正室
８２   第２接触部
８２ａ 管路
８２ｂ 第１校正液供給部
８３   校正液回収部
８３ａ 管路
８３ｂ 開閉弁
１８１ 保護部
１８１ａ      校正室
１８３ 校正液排出部
１８３ａ      管路
１８３ｂ      校正液排出弁
２８１ 保護部
２８１ａ      校正室
２８２ 第２接触部
２８２ａ      管路
３８１ 保護部
３８２ 第２接触部
４８１ 保護部
４８２ 第２接触部
５８１ 保護部
５８２ 第２接触部
Ａｒ   空気
Ｂｔ   薬液ボトル
Ｃｍ   濃度測定部
Ｃｓ   洗浄液導入部
Ｄｇ   排液口
Ｄｉ   薬液導入部
Ｄｒ   浸透膜
Ｅ     電極
Ｅｄ   外部排水手段
Ｈｍ   保持部
Ｈｎ   保持部
Ｈ２   保持部
Ｈ２ａ 連結具
Ｈ２ｂ シャフト
Ｈ２ｃ アクチュエータ
Ｈ３ａ 気体溜まり室
Ｈ３ｂ 保持部
Ｈ３ｃ 水位調整部
Ｈ３ｄ 圧力調整管路
Ｈ３ｅ 圧力調整弁
Ｈ４ｍ 保持部
Ｈ４ｎ 保持部
Ｌ     希釈水管路
Ｍ     第２濃度計
Ｍ１   検量線
Ｍｒ   電流値
Ｎ     第１濃度計
Ｎ１   検量線
Ｎ１ａ 検量線
Ｎｒ   電流値
Ｐ     校正処理部
Ｑ     濃度
Ｒ     濃度
Ｒｉ   水導入部
Ｔｆ   送流体部
Ｗ     外部給水手段
【図１】
2018186921.tif 000003
【図２】
2018186921.tif 000004
【図３】
2018186921.tif 000005
【図４】
2018186921.tif 000006
【図５】
2018186921.tif 000007
【図６】
2018186921.tif 000008
【図７】
2018186921.tif 000009
【図８】
2018186921.tif 000010
【図９】
2018186921.tif 000011
【図１０】
2018186921.tif 000012
【図１１】
2018186921.tif 000013
【図１２】
2018186921.tif 000014
【図１３】
2018186921.tif 000015
【図１４】
2018186921.tif 000016
【図１５】
2018186921.tif 000017
【図１６】
2018186921.tif 000018
【図１７】
2018186921.tif 000019